(57)【要約】  【課題】ＩＣカードリーダの長寿命化と薄型化を図る。  【解決手段】カード挿入路５と対面しつつ平行に移動可能にスライダ２１を設け、スライダ２１をばねで反挿入方向Ｂに付勢する。また、スライダ２１にＩＣカード２の先端２ｂと接触するように爪２１ｂを設け、板ばね２２の一方の端部２２ａを固定する。板ばね２２の他方の端部２２ｂにカード挿入路５と対面するように接触子２３ａを備えたコネクタ２３を取り付けて、接触子２３ａを上方向に付勢して退避させる。上フレーム３ａにはカード挿入路５と対面するように突起３ｇを設ける。ＩＣカード２がカード挿入路５に挿入されると、ＩＣカード２の先端２ｂが爪２１ｂと接触して、スライダ２１がＩＣカード２の挿入方向Ｆへ移動する。これにより、板ばね２２が突起３ｇに接触して下方向にたわみ、接触子２３ａをカード挿入路５に進入させてＩＣカード２のＩＣ接点２ａに接触させる。【選択図】  図８Ａ
2005266993.tif 000002
【特許請求の範囲】
【請求項１】
ＩＣカードが挿入されるカード挿入路が形成されたフレームと、
ＩＣカードのＩＣ接点に接触する接触子と、
前記カード挿入路と対面しつつ平行に移動可能に設けられたスライダと、
前記カード挿入路に挿入されたＩＣカードの先端と接触するように前記スライダに設けられた爪と、
前記スライダをＩＣカードの反挿入方向に付勢するばねと、
一方の端部が前記スライダに固定され、他方の端部に前記カード挿入路と対面するように前記接触子が取り付けられ、当該接触子を前記カード挿入路から離れる方向に付勢して前記カード挿入路より退避させる板ばねと、
前記カード挿入路と対面するように前記フレームに設けられた突起と、を備え、
ＩＣカードが前記カード挿入路に挿入されることにより、ＩＣカードの先端が前記爪と接触して、前記スライダがＩＣカードの挿入方向へ移動するときに、前記板ばねが前記突起に接触して前記カード挿入路に近づく方向にたわみ、前記接触子を前記カード挿入路に進入させてＩＣカードのＩＣ接点に接触させることを特徴とするＩＣカードリーダ。
【請求項２】
請求項１に記載のＩＣカードリーダにおいて、
前記突起をＩＣカードの挿入方向に少なくとも２つ設け、
前記板ばねが各突起に接触して前記カード挿入路に近づく方向にたわむことを特徴とするＩＣカードリーダ。
【請求項３】
請求項１または請求項２に記載のＩＣカードリーダにおいて、
前記突起と前記板ばねの互いに接触する部分を、ＩＣカードの挿入方向に対して前記カード挿入路に近づく方向に傾斜させたことを特徴とするＩＣカードリーダ。
【発明の詳細な説明】
【技術分野】
【０００１】
本発明は、ＩＣカードのＩＣ接点に接触子を接触させて情報の処理を行うＩＣカードリーダに関する。
【背景技術】
【０００２】
ＩＣカードリーダには、接触式のＩＣカードに対して情報の処理を行うものがある。このＩＣカードリーダは、導電性を有する接触子をＩＣカードの表面に設けられたＩＣ接点に接触させて、ＩＣカードとの電気的接続状態を確保し、接触子とＩＣ接点とを介してＩＣカードに対して情報の読み取りまたは書き込みの処理を行う。
【０００３】
接触子をＩＣカードのＩＣ接点に接触させるために、従来から種々の構造が提案されている。例えば、特許文献１では、ＩＣカードが挿入されるカード挿入路に接触子を常時突出させている。これにより、ＩＣカードがカード挿入路に挿入されて、ＩＣカードの先端が接触子に当接すると、接触子がＩＣカード上に乗り上げ、ＩＣカードが規定の位置まで挿入されると、接触子がＩＣカードのＩＣ接点上に位置して、ＩＣ接点に接触する。
【０００４】
また、特許文献２では、カード挿入路の上方にリンク機構を用いてコンタクトヘッドを配置し、当該コンタクトヘッドに接触子をカード挿入路に対向するように設け、当接部をカード挿入路中へ突出するように設けている。これにより、ＩＣカードが搬送手段によってカード挿入路に挿入されて、ＩＣカードの先端が当接部に当接すると、コンタクトヘッドがＩＣカードに押されて、リンク機構の回転により斜め下方に移動し、接触子をＩＣカードのＩＣ接点に接触させる。
【０００５】
また、特許文献３では、カード挿入路の上方に、下方へ向って傾斜するガイド溝が側面に形成されたガイド部材と、ガイド溝に支持ピンを介して支持されたキャリッジとを配置し、当該キャリッジに接触子をカード挿入路に対向するように設け、当接部をカード搬送路中へ突出するように設けている。これにより、ＩＣカードがカード挿入路に挿入されて、ＩＣカードの先端が当接部に当接すると、キャリッジがＩＣカードに押されて、支持ピンのガイド溝に沿った移動により斜め下方に移動し、接触子をＩＣカードのＩＣ接点に接触させる。
【０００６】
【特許文献１】特開平１０−６３７９２号公報（段落００１８〜００２９、図１〜７）
【特許文献２】特開平９−１４７０６４号公報（段落００１８〜００２４、図１、２）
【特許文献３】特許第２５９３１４３号公報（第２〜４頁、第１〜７、１０、１１図）
【発明の開示】
【発明が解決しようとする課題】
【０００７】
しかしながら、上述した特許文献１の構造では、カード挿入路に接触子を常時突出させているので、ＩＣカードの挿入時に、ＩＣカードの先端のエッジが接触子に当接して、接触子の変形や損傷を生じ易い。接触子の変形や損傷を生じると、接触子がＩＣカードのＩＣ接点に接触しなくなって、ＩＣカードに対して情報の処理を行えず、ＩＣカードリーダが使用できなくなる。つまり、特許文献１の構造では、ＩＣカードリーダの寿命が短いという問題がある。
【０００８】
これに対して、上述した特許文献２、３の構造では、ＩＣカードの未挿入時は、コンタクトヘッドまたはキャリッジがカード挿入路の上方に位置して、接触子をカード挿入路より退避させ、ＩＣカードの挿入時に、コンタクトヘッドまたはキャリッジが斜め下方に移動してＩＣカードに接近し、接触子をＩＣカードのＩＣ接点に接触させるので、接触子の変形や損傷を生じ難く、ＩＣカードリーダの寿命を長くできる。しかし、接触子をカード挿入路より退避させた位置からＩＣカードのＩＣ接点に接触する位置まで移動させるために、特許文献２の構造では、コンタクトヘッドとリンク機構を用いているので、カード挿入路の上方にリンク機構を回転させるための比較的大きなスペースを取らなければならず、ＩＣカードリーダの厚みが厚くなってしまう。また、特許文献３の構造では、キャリッジと支持ピンとガイド溝を形成したガイド部材を用いているので、ガイド部材の高さを、支持ピンの径より大きな幅のガイド溝を形成可能な大きさ、即ちガイド溝の上端から下端までの高さに、ガイド部材の上端からガイド溝の上端までの距離と、ガイド部材の下端からガイド溝の下端までの距離とを加算した大きさにする必要がある。そのため、カード挿入路の上方にガイド部材を配置するための比較的大きなスペースを取らなければならず、ＩＣカードリーダの厚みが厚くなってしまう。つまり、特許文献２、３の構造では、ＩＣカードリーダの薄型化を図れないという問題がある。
【０００９】
本発明は、上記問題点を解決するものであって、その課題とするところは、ＩＣカードリーダの長寿命化と薄型化を図ることにある。
【課題を解決するための手段】
【００１０】
本発明に係るＩＣカードリーダは、ＩＣカードが挿入されるカード挿入路が形成されたフレームと、ＩＣカードのＩＣ接点に接触する接触子と、カード挿入路と対面しつつ平行に移動可能に設けられたスライダと、カード挿入路に挿入されたＩＣカードの先端と接触するようにスライダに設けられた爪と、スライダをＩＣカードの反挿入方向に付勢するばねと、一方の端部がスライダに固定され、他方の端部にカード挿入路と対面するように接触子が取り付けられ、当該接触子をカード挿入路から離れる方向に付勢してカード挿入路より退避させる板ばねと、カード挿入路と対面するようにフレームに設けられた突起とを備えている。この構成において、ＩＣカードがカード挿入路に挿入されることにより、ＩＣカードの先端が爪と接触して、スライダがＩＣカードの挿入方向へ移動するときに、板ばねが突起に接触してカード挿入路に近づく方向にたわみ、接触子をカード挿入路に進入させてＩＣカードのＩＣ接点に接触させる。
【００１１】
上記のようにすることで、カード挿入路へのＩＣカードの未挿入時には、板ばねが接触子をカード挿入路から離れる方向に付勢して退避させ、カード挿入路へのＩＣカードの挿入時には、板ばねがカード挿入路に近づく方向にたわんで、接触子をＩＣカードのＩＣ接点に接触させる。このため、接触子の変形や損傷を生じ難くなり、ＩＣカードリーダの長寿命化を図ることが可能となる。また、接触子をスライダとともに移動する板ばねに取り付け、当該板ばねを突起に接触させてたわませることで、接触子がカード挿入路より退避した位置からＩＣカードのＩＣ接点に接触可能な位置まで移動する。このため、カード挿入路の近傍には接触子をカード挿入路より退避させることが可能な比較的小さなスペースだけを確保すればよくなり、ＩＣカードリーダの薄型化を図ることが可能となる。
【００１２】
また、本発明の実施形態に係るＩＣカードリーダでは、突起をＩＣカードの挿入方向に少なくとも２つ設けていて、板ばねが各突起に接触してカード挿入路に近づく方向にたわむ。このようにすることで、板ばねをカード挿入路に対して略平行にたわませて、接触子をＩＣカードのＩＣ接点に突き当てることなく安定に接触させることができ、接触子の変形や損傷を一層生じ難くすることが可能となる。
【００１３】
さらに、本発明の実施形態に係るＩＣカードリーダでは、突起と板ばねの互いに接触する部分を、ＩＣカードの挿入方向に対してカード挿入路に近づく方向に傾斜させている。このようにすることで、板ばねを突起に突き当てることなく、突起に沿ってスムーズにカード挿入路に近づく方向にたわませて、接触子をＩＣカードのＩＣ接点に徐々に接触させることができ、接触子の変形や損傷を一層生じ難くすることが可能となる。
【発明の効果】
【００１４】
本発明によれば、ＩＣカードの未挿入時は、板ばねが接触子をカード挿入路より退避させ、ＩＣカードの挿入時に、板ばねが接触子をＩＣカードのＩＣ接点に接触させるので、接触子の変形や損傷を生じ難くなり、ＩＣカードリーダの長寿命化を図ることが可能となる。また、板ばねのたわみにより、接触子をカード挿入路より退避させた位置からＩＣカードのＩＣ接点に接触可能な位置まで移動させるので、カード挿入路の近傍には接触子を退避可能な小さなスペースだけを確保すればよくなり、ＩＣカードリーダの薄型化を図ることが可能となる。
【発明を実施するための最良の形態】
【００１５】
図１および図２は、本発明の実施形態に係るＩＣカードリーダの内部構造を示す図である。図１は同平面図、図２は同側方断面図である。図１において、１はＩＣカードリーダである。このＩＣカードリーダ１は接触式のＩＣカード２に対して情報の読み取りまたは書き込みの処理を行う。ＩＣカード２は、表面にＩＣ接点２ａが設けられていて、内部に所定のデータを記憶したＩＣチップ（図示省略）が設けられている。３はＩＣカードリーダ１のフレームである。このフレーム３は、図２に示すように上フレーム３ａと下フレーム３ｂとを重ね合わせて組み立てられている。フレーム３には、ＩＣカード２が挿入される挿入口４とカード挿入路５が形成されている。挿入口４の近傍には、切り欠き６が設けられている。この切り欠き６に指を入れることで、カード挿入路５に対してＩＣカード２を奥まで挿入したり、奥から抜き取ったりすることができる。カード挿入路５の幅Ｗ１（図１に図示）は、ＩＣカード２の短手方向の幅Ｗと略同程度の大きさになっている。これにより、カード挿入路５にＩＣカード２を幅方向Ｒ、Ｌにガタツキなく挿入することができる。また、カード挿入路５の高さｈ１（図２に図示）は、ＩＣカード２の厚みｈよりも所定量大きくなっている。本例では、ＩＣカード２の厚みｈが０．７６ｍｍであるのに対し、カード挿入路５の高さｈ１は１．４ｍｍ程度である。これにより、ＩＣカード２がある程度反っても、カード挿入路５にＩＣカード２を挿入することができる。
【００１６】
図１に示す１０はフレーム３内のカード挿入路５よりも上方に設けられたカードロック機構である。このカードロック機構１０は、プレート１１、レバー１２、イジェクタピン１３、およびコイルばね１４〜１６から構成されている。プレート１１は、カード挿入路５と平行にＦ、Ｂ方向へ移動可能に設けられている。このプレート１１のＦ方向側には、カード挿入路５に挿入されたＩＣカード２の先端２ｂと接触する爪１１ａが下方に向って突出するように形成されている。また、プレート１１のＢ方向側には、レバー１２のＦ方向側の端部１２ｃと接触する爪１１ｂが上方に向って突出するように形成されている。コイルばね１４は、一端をプレート１１に引っ掛けられ、他端を上フレーム３ａの壁３ｃに引っ掛けられている。このコイルばね１４は、プレート１１をＩＣカード２の反挿入方向Ｂに付勢している。
【００１７】
レバー１２は、上フレーム３ａに軸７を介して回転可能に設けられている。このレバー１２のＬ方向側には、イジェクタピン１３のフック部１３ｃに引っ掛かる爪１２ｂが下方に向って突出するように形成されている。また、レバー１２のＢ方向側には、カード挿入路５の所定の位置まで完全に挿入されたＩＣカード２の後端と接触する爪１２ａが下方に向って突出するように形成されている。コイルばね１５は、一端をレバー１２に引っ掛けられ、他端を上フレーム３ａに形成されたボス３ｅに引っ掛けられている。このコイルばね１５は、レバー１２に反時計回りへ回転するような力を加えている。
【００１８】
イジェクタピン１３は、カード挿入路５のＬ方向側に設けられている。このイジェクタピン１３の略中央部には、レバー１２の爪１２ｂが引っ掛かるフック部１３ｃが形成されている。イジェクタピン１３のＢ方向側の先端部１３ａは、フレーム３から外部に突出している。コイルばね１６は、一端をイジェクタピン１３の後端部１３ｂに引っ掛けられ、他端を上フレーム３ａの壁３ｄに引っ掛けられている。このコイルばね１６は、イジェクタピン１３をＩＣカード２の反挿入方向Ｂに付勢している。
【００１９】
２０はフレーム３内のカード挿入路５よりも上方に設けられたＩＣ接点ユニットである。このＩＣ接点ユニット２０は、スライダ２１、板ばね２２、コネクタ２３、およびコイルばね２４から構成されている。各部の詳細を図１と図２に加え、図３〜図６を参照して説明する。なお、図３はスライダ２１を示す図、図４は板ばね２２を示す図、図５はコネクタ２３を示す図、図６はＩＣ接点ユニット２０の組立図である（コイルばね２４は図示省略）。また、各図において（ａ）はそれぞれの側面図、（ｂ）はそれぞれの底面図（（ａ）において下方から見た図）である。
【００２０】
スライダ２１は、図３に示すように略凹形をした薄板から形成されている。このスライダ２１は、上フレーム３ａに支持されることにより、図１および図２に示すようにカード挿入路５と対面しかつカード挿入路５と平行にＦ、Ｂ方向へ移動可能に設けられている。スライダ２１のＦ方向側には、フォトマイクロセンサ８のアクチュエータ８ａと接触する接触片２１ａがＦ方向に向って突出するように形成されている。フォトマイクロセンサ８は、ＩＣカード２がカード挿入路５の奥にある所定の位置まで完全に挿入されたことを検出するためのものである。なお、ＩＣカード２は、先端２ｂがストッパ９（図１に図示）に当接するまでカード挿入路５にＦ方向へ挿入できる。接触片２１ａの傍には、カード挿入路５に挿入されたＩＣカード２の先端２ｂと接触する爪２１ｂが下方に向って突出するように形成されている。コイルばね２４はそれぞれ、一端をスライダ２１に引っ掛けられ、他端を上フレーム３ａの壁３ｆに引っ掛けられている。このコイルばね２４は、スライダ２１をＩＣカード２の反挿入方向Ｂに付勢している。
【００２１】
板ばね２２は、図４に示すように薄板を２段階曲げて形成されている。この板ばね２２の下方に落ち込んだ一方の端部２２ａは、図６に示すようにスライダ２１の横梁部２１ｃの下面にスポット溶接または接着剤等により固定されている。また、板ばね２２の上方に持ち上がった他方の端部２２ｂの下面には、図６に示すようにコネクタ２３を表面実装したＦＰＣ（Flexible Printed Circuit）２５が両面テープまたは接着剤等により取り付けられている。板ばね２２の中央に貫通された３つの孔２２ｃには、図１および図２に示すようにカード挿入路５と対面するように上フレーム３ａに設けられた突起３ｇが嵌まり込む。突起３ｇは、図１に示すようにＩＣカード２の挿入方向Ｆに２つ、幅方向Ｒ、Ｌにコネクタ２３を挟むように２つの合計４つが設けられている。突起３ｇのＢ方向側の側面と、当該側面に対向する板ばね２２の側面とは、図２に示すようにＩＣカード２の挿入方向Ｆに対してカード挿入路５に近づく方向（下方向）Ｄに所定角度で傾斜している。
【００２２】
コネクタ２３は、図５に示すようにインサート成形により形成されていて、合成樹脂からなる基部２３ｄと、導電性を有する複数の接触子２３ａとからなる。接触子２３ａのリード部２３ｂは、図６（ａ）に示すようにＦＰＣ２５にはんだ付けにより固定されていて、接点部２３ｃは、図６（ａ）に示すようにスライダ２１よりも下方へ突出している。フレーム３内において接触子２３ａは、図２に示すように板ばね１０によってカード挿入路５から離れる方向（上方向）Ｕに付勢されてカード挿入路５より退避させられている。カード挿入路５にＩＣカード２が挿入されると、接触子２３ａは、後述するように弾性変形して所定の圧力でＩＣカード２のＩＣ接点２ａに接触する。ＦＰＣ２５は、フレーム３内に設けられている図示しない基板に接続されている。その基板には、ＩＣカード２に対して情報の読み取りまたは書き込みの処理を行ったり、パーソナルコンピュータ等の上位装置と通信を行ったりするため等の制御回路が実装されている。
【００２３】
図７Ａ〜図８Ｂは、上記ＩＣカードリーダ１の動作を説明する図である。図７Ａおよび図７ＢはＩＣカードリーダ１の全体の平面図、図８Ａおよび図８ＢはＩＣカードリーダ１の要部を拡大した側方断面図である。図１に示した状態から、ＩＣカード２がカード挿入路５にＦ方向へ挿入されて行くと、図７Ａ（ａ）および図８Ａ（ａ）に示すようにＩＣカード２の先端２ｂがスライダ２１の爪２１ｂとプレート１１の爪１１ａに接触する。これにより、スライダ２１とプレート１１が、ＩＣカード２に押されてそれぞれ挿入方向Ｆへ移動して行く。
【００２４】
スライダ２１が挿入方向Ｆへ移動して行くことにより、図８Ａ（ｂ）に示すようにスライダ２１に固定された板ばね２２が突起３ｇに接触して、突起３ｇに沿ってカード挿入路５に近づく方向Ｄにたわんで行く。これにより、板ばね２２に取り付けられたコネクタ２３の接触子２３ａが下降して、カード挿入路５に進入して行き、ＩＣカード２のＩＣ接点２ａに徐々に接触する。なお、ＩＣカード２は下フレーム３ｂによって下面を支持されている。またこのとき、プレート１１が挿入方向Ｆへ移動して行くことにより、図７Ａ（ｂ）に示すようにプレート１１の爪１１ｂとレバー１２の端部１２ｃとの接触位置がＦ方向にずれて行く。
【００２５】
ＩＣカード２がＦ方向へ挿入されて、スライダ２１がＦ方向へ移動して行くことにより、図７Ｂ（ｃ）に示すようにスライダ２１の接触片２１ａがフォトマイクロセンサ８のアクチュエータ８ａに接触すると、フォトマイクロセンサ８は、ＯＦＦ状態からＯＮ状態に切り替わって、ＩＣカード２がカード挿入路５の所定の位置まで完全に挿入されたことを検出する。このとき、ＩＣカード２の先端２ｂがストッパ９に接触して、ＩＣカード２のＦ方向への挿入が停止される。
【００２６】
ＩＣカード２が完全に挿入されると、図８Ｂ（ｃ）に示すように板ばね２２が突起３ｇの先端面（カード挿入路５側の面）に乗り上がって、ＩＣカード２に最も近づいた状態となる。これにより、接触子２３ａが板ばね２２に押されて弾性変形し、ＩＣカード２のＩＣ接点２ａに所定の圧力で接触する。またこのとき、図７Ｂ（ｃ）に示すようにレバー１２の端部１２ｃがプレート１１の爪１１ｂから外れて、レバー１２がコイルばね１５の弾性力によって反時計回りに回転する。これにより、レバー１２の爪１２ａがＩＣカード２の後端２ｃに接触して、ＩＣカード２のカード挿入路５からの突出および抜き取りが阻止される。また、レバー１２の爪１２ｂがイジェクタピン１３のフック部１３ｃから外れて、イジェクタピン１３の先端部１３ａがコイルばね１６の弾性力によってフレーム３から外部に大きく突出する。
【００２７】
上記のような状態になると、ＩＣカードリーダ１は、接触子２３ａとＩＣカード２のＩＣ接点２ａとを介してＩＣカード２に通電し、ＩＣカード２に対して情報の読み取りまたは書き込みの処理を行う。しばらくして、ＩＣカードリーダ１がＩＣカード２に対する情報の処理を終了した後、図７Ｂ（ｄ）に示すようにイジェクタピン１３の先端部１３ａが指でＦ方向に押されると、イジェクタピン１３がＦ方向へ移動しながらフック部１３ｃでレバー１２の爪１２ｂを引っ掛ける。これにより、レバー１２の爪１２ｂがフック部１３ｃにＲ方向に押されて、レバー１２が時計回りに回転する。レバー１２が時計回りに回転すると、レバー１２の爪１２ａがＩＣカード２の後端２ｃから外れ、レバー１２の端部１２ｃがプレート１１の爪１１ｂのＲ方向側へ移動し、プレート１１がコイルばね１４の弾性力によってＢ方向に移動する。またこのとき、スライダ２１がコイルばね２４の弾性力によってＢ方向に移動し、この移動に伴って板ばね２２が、図８Ｂ（ｄ）に矢印で示すように突起３ｇに沿って移動して行って、カード挿入路５に近づく方向Ｄにたわまなくなる。これにより、接触子２３ａが、図８Ａ（ａ）に示したように板ばね２２によってカード挿入路５から離れる方向Ｕに付勢されて、カード挿入路５より退避させられた状態に戻る。上記のようにプレート１１とスライダ２１とがコイルばね１４、２４の弾性力によってＢ方向に移動すると、ＩＣカード２がプレート１１の爪１１ａとスライダ２１の爪２１ｂとに押されてカード挿入路５からＢ方向に突出し、ＩＣカード２をカード挿入路５から抜き取り可能となる。
【００２８】
以上のような構造にすることで、カード挿入路５へのＩＣカード２の未挿入時には、板ばね２２が接触子２３ａをカード挿入路５から離れる方向Ｕに付勢して退避させ、カード挿入路５へのＩＣカード２の挿入時には、板ばね２２がカード挿入路５に近づく方向Ｄにたわんで、接触子２３ａをＩＣカード２のＩＣ接点２ａに接触させる。このため、接触子２３ａの変形や損傷を生じ難くなり、ＩＣカードリーダ１の長寿命化を図ることが可能となる。また、接触子２３ａをスライダ２１とともに移動する板ばね２２に取り付け、当該板ばね２２を突起３ｇに接触させてたわませることで、接触子２３ａがカード挿入路５より退避した位置からＩＣカード２のＩＣ接点２ａに接触可能な位置まで移動する。このため、カード挿入路５の上方には接触子２３ａをカード挿入路５より退避させることが可能な比較的小さなスペース、即ち板ばね２２の厚みと、ＦＰＣ２５の厚みと、接触子２３ａの高さ（リード部２３ｂから接点部２３ｃまでの高さ）と、接触子２３ａとカード挿入路５との若干のクリアランス等を加算したスペースだけを確保すればよくなり、ＩＣカードリーダ１の薄型化を図ることが可能となる。
【００２９】
また、上フレーム３ａに突起３ｇをＩＣカード２の挿入方向Ｆに２つ設け、板ばね２２を各突起３ｇに接触させてカード挿入路５に近づく方向Ｄへたわませるようにしたことで、図８Ａ（ｂ）、図８Ｂ（ｃ）に示すように板ばね２２をカード挿入路５に対して略平行にたわませて、接触子２３ａをＩＣカード２のＩＣ接点２ａに突き当てることなく安定に接触させることができ、接触子２３ａの変形や損傷を一層生じ難くすることが可能となる。
【００３０】
さらに、突起３ｇと板ばね２２の互いに接触する部分を、ＩＣカード２の挿入方向Ｆに対してカード挿入路５に近づく方向Ｄに傾斜させたことで、板ばね２２を突起３ｇに突き当てることなく、突起３ｇに沿ってスムーズにカード挿入路５に近づく方向Ｄにたわませて、接触子２３ａをＩＣカード２のＩＣ接点２ａに徐々に接触させることができ、接触子２３ａの変形や損傷を一層生じ難くすることが可能となる。
【００３１】
本発明は、以上述べた実施形態以外にも種々の形態を採用することができる。例えば、以上の実施形態では、上フレーム３ａに突起３ｇをＩＣカード２の挿入方向Ｆに２つ、幅方向Ｒ、Ｌに２つの合計４つ設けた例を挙げたが、本発明はこれのみに限定するものではない。これ以外に、例えば突起３ｇを、ＩＣカード２の挿入方向Ｆに１つだけまたは３つ以上設けるようにしてもよいし、幅方向Ｒ、Ｌに１つだけまたは３つ以上設けるようにしてもよい。但し、突起３ｇを複数設けることで、板ばね２２をカード挿入路５と略平行にたわませて、接触子２３ａをＩＣカード２のＩＣ接点２ａに安定に接触させることができる。
【００３２】
また、以上の実施形態では、突起３ｇと板ばね２２の互いに接触する部分を、ＩＣカード２の挿入方向Ｆに対して下方向Ｄに所定角度で直線的に傾斜させた例を挙げたが、本発明はこれのみに限定するものではない。これ以外に、例えば突起３ｇと板ばね２２の互いに接触する部分を、挿入方向Ｆに対して下方向Ｄに曲線的に傾斜させるようにしてもよい。また、突起３ｇと板ばね２２のいずれか一方を直線的に傾斜させ、他方を曲線的に傾斜させるようにしたり、突起３ｇと板ばね２２のいずれか一方のみを直線的または曲線的に傾斜させるようにしたりしてもよい。
【００３３】
さらに、以上の実施形態では、接触式のＩＣカード２専用のＩＣカードリーダ１に本発明を適用したが、本発明はこれ以外にも、例えばＩＣ接点と磁気ストライプの両方が設けられた磁気ＩＣカードに対して情報の処理を行えるように、ＩＣ接点ユニットと磁気ヘッドとを内部に備えたＩＣカードリーダに適用することが可能である。また、例えばカード挿入路に挿入されたＩＣカードを自動的に内部へ搬送するローラ等の搬送手段を備えたＩＣカードリーダに適用することが可能である。
【図面の簡単な説明】
【００３４】
【図１】ＩＣカードリーダの内部構造を示す平面図である。
【図２】ＩＣカードリーダの内部構造を示す側方断面図である。
【図３】ＩＣカードリーダに備わるスライダを示す図である。
【図４】ＩＣカードリーダに備わる板ばねを示す図である。
【図５】ＩＣカードリーダに備わるコネクタを示す図である。
【図６】ＩＣカードリーダに備わるＩＣ接点ユニットの組立図である。
【図７Ａ】ＩＣカードリーダの動作を説明する全体平面図である。
【図７Ｂ】ＩＣカードリーダの動作を説明する全体平面図である。
【図８Ａ】ＩＣカードリーダの動作を説明する要部拡大側方断面図である。
【図８Ｂ】ＩＣカードリーダの動作を説明する要部拡大側方断面図である。
【符号の説明】
【００３５】
１      ＩＣカードリーダ
２      ＩＣカード
２ａ    ＩＣ接点
２ｂ    ＩＣカードの先端
３ａ    上フレーム
３ｂ    下フレーム
３ｇ    突起
５      カード挿入路
２１    スライダ
２１ｂ  爪
２２    板ばね
２３ａ  接触子
２４    コイルばね
Ｂ      ＩＣカードの反挿入方向
Ｆ      ＩＣカードの挿入方向
【図１】
2005266993.tif 000003
【図２】
2005266993.tif 000004
【図３】
2005266993.tif 000005
【図４】
2005266993.tif 000006
【図５】
2005266993.tif 000007
【図６】
2005266993.tif 000008
【図７Ａ】
2005266993.tif 000009
【図７Ｂ】
2005266993.tif 000010
【図８Ａ】
2005266993.tif 000011
【図８Ｂ】
2005266993.tif 000012